(57)【特許請求の範囲】
【請求項１】
第１の通信装置と第２の通信装置との間の通信を確立するための設定情報について、前記第１の通信装置または前記第２の通信装置と人体通信を用いて通信する通信部を備え、
前記設定情報は、前記第１の通信装置の設定情報である第１の設定情報を含み、
前記通信部は、
前記第１の設定情報を前記第１の通信装置から人体通信を用いて受信し、
前記第１の設定情報の送信許可照会を前記第１の通信装置に送信し、
送信許可が前記第１の通信装置から受信される場合、前記第１の設定情報を前記第２の通信装置に人体通信を用いて送信する、
通信装置。
【請求項２】
前記通信部は、前記第１の設定情報が複数存在する場合、前記送信許可照会を前記第１の通信装置に送信し、
受信される前記送信許可が示す第１の設定情報を前記第２の通信装置に人体通信を用いて送信する、請求項１に記載の通信装置。
【請求項３】
前記通信部は、前記第１の設定情報が複数存在する場合、複数の前記第１の設定情報のうちの一部または全部を前記第２の通信装置に人体通信を用いて送信する、請求項１に記載の通信装置。
【請求項４】
前記設定情報は、前記第２の通信装置の設定情報である第２の設定情報を含み、
前記通信部は、前記第２の設定情報を前記第２の通信装置から人体通信を用いて受信し、
受信される前記第２の設定情報を前記第１の通信装置に送信する、請求項１〜３のいずれか１項に記載の通信装置。
【請求項５】
前記通信部は、所定の信号が他の通信装置から受信された際に、人体通信可能な状態に遷移する、請求項１〜４のいずれか１項に記載の通信装置。
【請求項６】
第２の通信装置との間の通信を確立するための設定情報について第３の通信装置と人体通信を用いて通信し、
前記設定情報に基づく前記第２の通信装置との通信を確立する通信部を備え、
前記設定情報は、自装置の設定情報である第１の設定情報を含み、
前記通信部は、前記第１の設定情報を前記第３の通信装置に前記人体通信を用いて送信し、
前記第１の設定情報の送信許可照会が前記第３の通信装置から受信される場合に、ユーザに対して前記送信許可照会があった旨の提示を行い、前記提示に対して行われるユーザ操作に基づいて前記第１の設定情報の送信許否についての決定を行う制御部をさらに備える、
通信装置。
【請求項７】
前記設定情報は、前記第２の通信装置の設定情報である第２の設定情報を含み、
前記通信部は、前記第２の設定情報を前記第３の通信装置から受信し、
受信される前記第２の設定情報に基づいて、前記第２の通信装置との間に、前記人体通信とは異なる方式の通信を確立する、請求項６に記載の通信装置。
【請求項８】
前記通信部は、人体通信を促す信号を送信する、請求項６又は７に記載の通信装置。
【請求項９】
第３の通信装置が、第１の通信装置と第２の通信装置との間の通信を確立するための設定情報を、前記第１の通信装置または前記第２の通信装置に人体通信を用いて送信することと、前記設定情報に基づいて前記第１の通信装置と前記第２の通信装置との通信を確立することと、
を含み、
前記設定情報は、前記第１の通信装置の設定情報である第１の設定情報を含み、
前記第３の通信装置が、
前記第１の設定情報を前記第１の通信装置から人体通信を用いて受信し、
前記第１の設定情報の送信許可照会を前記第１の通信装置に送信し、
送信許可が前記第１の通信装置から受信される場合、前記第１の設定情報を前記第２の通信装置に人体通信を用いて送信する、
ことをさらに含む、
通信方法。
【請求項１０】
第１及び第２の通信装置と、
前記第１の通信装置と前記第２の通信装置との間の通信を確立するための設定情報を、前記第１の通信装置または前記第２の通信装置に人体通信を用いて送信し、前記設定情報に基づいて前記第１の通信装置と前記第２の通信装置との通信を確立する第３の通信装置と、
を備え、
前記設定情報は、前記第１の通信装置の設定情報である第１の設定情報を含み、
前記第３の通信装置は、前記第１の設定情報を前記第１の通信装置から人体通信を用いて受信し、前記第１の設定情報の送信許可照会を前記第１の通信装置に送信し、送信許可が前記第１の通信装置から受信される場合、前記第１の設定情報を前記第２の通信装置に人体通信を用いて送信する、
通信システム。
【発明の詳細な説明】
【技術分野】
【０００１】
本開示は、通信装置、通信方法および通信システムに関する。
【背景技術】
【０００２】
近年、様々な通信方式が開発され、通信の目的または用途等に応じた通信方式が用いられるようになっている。さらに、互いに異なる通信方式に対応する複数の通信手段を自動的に切り替えて通信を行う、いわゆるハンドオーバ技術が開発されている。【０００３】
例えば、特許文献１および特許文献２では、ＮＦＣ（Near  Field  Communication）通信によりＢｌｕｅｔｏｏｔｈ（登録商標）通信（以下、ＢＴ通信とも称する。）のための認証情報が送信され、当該認証情報に基づくＢＴ通信を用いてデータの送受信を行う通信装置に係る発明が開示されている。これにより、ユーザは、ＢＴ通信の認証情報についての操作を行うことなく、ＢＴ通信を利用することが可能となる。
【先行技術文献】
【特許文献】
【０００４】
【特許文献１】特開２０１０−２１３３３４号公報
【特許文献２】特開２００９−２１８８４５号公報
【発明の概要】
【発明が解決しようとする課題】
【０００５】
しかし、特許文献１および特許文献２で開示される発明では、通信装置にＮＦＣ通信を行わせるためにユーザが通信装置自体を通信相手となる装置に隣接させることになる。そのため、通信装置がユーザの持ち運びに不便な大きさまたは重さである場合、ユーザに負担がかかる。【０００６】
そこで、本開示では、通信確立の際のユーザの利便性を維持しながら、ユーザの負担を軽減することが可能な、新規かつ改良された通信装置、通信方法および通信システムを提案する。
【課題を解決するための手段】
【０００７】
本開示によれば、第１の通信装置と第２の通信装置との間の通信を確立するための設定情報について、前記第１の通信装置または前記第２の通信装置と人体通信を用いて通信する通信部を備える通信装置が提供される。【０００８】
また、本開示によれば、第２の通信装置との間の通信を確立するための設定情報について第３の通信装置と人体通信を用いて通信し、前記設定情報に基づく前記第２の通信装置との通信を確立する通信部を備える通信装置が提供される。【０００９】
また、本開示によれば、第１の通信装置との間の通信を確立するための設定情報について第３の通信装置と人体通信を用いて通信し、前記設定情報に基づく前記第１の通信装置との通信を確立する通信部を備える通信装置が提供される。【００１０】
また、本開示によれば、第１の通信装置と第２の通信装置との間の通信を確立するための設定情報を、前記第１の通信装置または前記第２の通信装置に人体通信を用いて送信することと、前記設定情報に基づいて前記第１の通信装置と前記第２の通信装置との通信を確立することと、を備える通信方法が提供される。【００１１】
また、本開示によれば、第１の通信装置と第２の通信装置との間の通信を確立するための設定情報を、前記第１の通信装置または前記第２の通信装置に人体通信を用いて送信する機能と、前記設定情報に基づいて前記第１の通信装置と前記第２の通信装置との通信を確立する機能と、を備える通信システムが提供される。
【発明の効果】
【００１２】
以上説明したように本開示によれば、通信確立の際のユーザの利便性を維持しながら、ユーザの負担を軽減することが可能な通信装置、通信方法および通信システムが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】従来のＮＦＣを利用した通信システムの課題を説明するための図である。
【図２】本開示の一実施形態に係る制御システムの概要を説明するための図である。
【図３】本開示の第１の実施形態に係る通信装置の概略的な機能構成を示すブロック図である。
【図４】本実施形態に係る通信システムにおける設定情報の事前登録処理を概念的に示すシーケンス図である。
【図５】本実施形態に係る通信システムにおける電波通信の確立処理を概念的に示すシーケンス図である。
【図６】本実施形態の第１の変形例に係る通信システムの電波通信の確立処理を概念的に示すシーケンス図である。
【図７】本開示の第２の実施形態に係る通信システムにおける電波通信の確立処理を概念的に示すシーケンス図である。
【図８】本実施形態の変形例に係る通信システムにおける電波通信の確立処理を概念的に示すシーケンス図である。
【図９】本開示に係る通信装置のハードウェア構成を示した説明図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．本開示の一実施形態に係る通信システムの概要
２．第１の実施形態（人体通信を介してＭＤの設定情報をＳＤに送信する例）
３．第２の実施形態（人体通信を介してＳＤの設定情報をＭＤに送信する例）
４．本開示の一実施形態に係るハードウェア構成
５．むすび
【００１６】
＜１．本開示の一実施形態に係る通信システムの概要＞
まず、従来の通信システムの課題および本開示の一実施形態に係る制御システムの概要について説明する。図１は、従来のＮＦＣを利用した通信システムの課題を説明するための図であり、図２は、本開示の一実施形態に係る制御システムの概要を説明するための図である。
【００１７】
従来の通信システムは、複数の通信装置で構成される。複数の通信装置の各々は、２種類の通信方式を用いて通信を行う無線通信機能を有する。そして、通信システムでは、一方の通信方式を用いて他方の通信方式による通信確立のための情報が通信相手となる通信装置に送信される。
【００１８】
例えば、従来の通信システムを構成する通信装置１０および通信装置２０は、ＮＦＣ通信およびＢＴ通信を行う機能を有し得る。図１に示したように、通信装置１０は、通信装置２０に隣接する位置に移動され、ＮＦＣ通信を介してＢＴ通信の設定情報を通信装置２０に送信する。当該ＢＴ通信の設定情報を受信した通信装置２０は、当該設定情報を用いて通信装置１０とＢＴ通信を確立する。
【００１９】
ここで、ＢＴ通信等の設定情報の送信にＮＦＣ通信が用いられる場合、通信装置にＮＦＣ通信を行わせるためにユーザが通信装置自体を通信相手となる装置に隣接させることになる。例えば、ユーザは、図１に示される通信装置１０を通信装置２０に隣接させる。また、通信装置１０が１階に設置され、通信装置２０が２階に設置される場合、通信装置１０を１階から２階まで移動させることになる。そのため、通信装置がユーザの持ち運びに不便な大きさまたは重さである場合、ユーザに負担がかかっていた。また、通信装置１０が取り外しの困難な装置、例えばセットトップボックスのような装置である場合、移動に際しての取り外しがユーザにとって煩雑であった。
【００２０】
また、ＮＦＣ通信では、通信装置のアンテナの各々の位置が合わない場合、通信接続が確立されないが、アンテナの位置の合致について比較的高い精度が要求されるため、実際には通信接続の確立が困難となる場合があった。例えば、アンテナを形成する円形コイルが互いに円形の面積の半分程度が重なる状態では、通信が困難であり、一般的には互いの円形の面積の８０％程度が重なる状態であることがＮＦＣ通信を行うに当たって望ましいとされる。また、アンテナの形状が互いに異なる場合、一般にアンテナの形状はユーザに視認されないため、アンテナの位置合わせはさらに困難となる。
【００２１】
そこで、本開示の一実施形態に係る通信システムでは、第１の通信装置と第２の通信装置との間の通信を確立するための設定情報について、第３の通信装置が第１の通信装置または第２の通信装置と人体通信を用いて通信する。そして、当該設定情報に基づいて第１の通信装置と第２の通信装置との通信が確立される。
【００２２】
本開示の一実施形態に係る通信システムは、上述したように第１〜第３の通信装置で構成される。第１〜第３の通信装置の各々は、人体通信および他の通信方式の通信、例えばＢＴ通信を用いて他の通信装置と通信を行う。また、第３の通信装置は、人体に装着され、人体通信を用いて他の通信装置の設定情報の仲介を行い、第１および第２の通信装置は、当該設定情報に基づいて他の通信方式の通信を確立する。
【００２３】
例えば、図２に示したように、本開示の一実施形態に係る情報システムは、第３の通信装置としてのバンド３００、第１の通信装置としてのタブレット端末１００Ａおよびディスプレイ１００Ｂ、ならびに第２の通信装置としてのスピーカ２００で構成され得る。
【００２４】
まず、バンド３００は、図２の左図に示したように、タブレット端末１００Ａおよびディスプレイ１００ＢからＢＴ通信を確立するための設定情報を受信し、受信される設定情報を記憶する。
【００２５】
次に、バンド３００は、図２の右図に示したように、ユーザに装着され、ユーザはバンド３００が装着された状態でスピーカ２００に触れる。当該ユーザがスピーカ２００に触れた際に、バンド３００からスピーカ２００に人体通信を介してバンド３００に記憶されるタブレット端末１００Ａの設定情報が送信される。そして、スピーカ２００は受信されるタブレット端末１００Ａの設定情報を用いてタブレット端末１００ＡとのＢＴ通信を確立する。
【００２６】
このように、本開示の一実施形態に係る通信システムでは、第１の通信装置と第２の通信装置との間の通信を確立するための設定情報について、第３の通信装置が第１の通信装置または第２の通信装置と人体通信を用いて通信する。そして、当該設定情報に基づいて第１の通信装置と第２の通信装置との通信が確立される。このため、ユーザは第１および第２の通信装置を隣接する位置に移動させることなく当該通信装置間の通信を確立させることができ、通信確立の際のユーザの利便性を維持しながら、ユーザの負担を軽減することが可能となる。なお、図２においては第３の通信装置の一例としてバンド形状の通信装置を示しているが、第３の通信装置は、人体に装着され、または人体によって保持される装置であれば、これに限定されない。また、第１の通信装置１００および第２の通信装置の一例として、タブレット端末およびディスプレイ、ならびにスピーカを示しているが、第１の通信装置および第２の通信装置は、その他の通信可能な通信端末、表示装置または出力装置等であってもよい。
【００２７】
なお、以下では、通信装置１００、通信装置２００および通信装置３００をＭＤ（Master  Device）、ＳＤ（Slave  Device）、およびＷＤ（Wearable  Device）とも称する。また、説明の便宜上、第１、第２の実施形態による通信装置１００等の各々を、通信装置１００−１、および通信装置１００−２のように、末尾に実施形態に対応する番号を付することにより区別する。
【００２８】
＜２．第１の実施形態（人体通信を介してＭＤの設定情報をＳＤに送信する例）＞
以上、本開示の一実施形態に係る通信システムの概要について説明した。次に、本開示の第１の実施形態に係る通信システムについて説明する。本実施形態では、人体通信を用いて、第１の通信装置の設定情報が第３の通信装置を介して第２の通信装置に送信される。
【００２９】
＜２−１．通信システムの構成＞
まず、図３を参照して、本開示の第１の実施形態に係る通信装置１００−１、通信装置２００−１および通信装置３００−１の構成について説明する。図３は、本開示の第１の実施形態に係る通信装置１００−１、通信装置２００−１および通信装置３００−１の概略的な機能構成を示すブロック図である。
【００３０】
（通信装置１００−１の構成）
通信装置１００−１は、図３に示したように、制御部１０２、人体通信部１０４、電波通信部１０６および記憶部１０８を備える。例えば、通信装置１００−１は、ユーザによって操作される携帯通信端末等であり得る。
【００３１】
制御部１０２は、通信装置１００−１の動作を全体的に制御する。具体的には、制御部１０２は、人体通信部１０４および電波通信部１０６の制御を行う。例えば、制御部１０２は、人体通信部１０４および電波通信部１０６の起動および停止、ならびにデータの送信指示等を行う。
【００３２】
人体通信部１０４は、通信部の一部として、他の通信装置と人体を介した通信を行う。具体的には、人体通信部１０４は、通信装置２００−１との通信を確立するための設定情報を送信する。例えば、人体通信部１０４は、第１の設定情報として、通信装置１００−１のＢＴ通信の設定情報を通信装置３００−１に送信する。設定情報は、例えばペアリング情報等の認証情報であり得る。なお、人体通信部１０４は、図示しない通信電極および基準電極を有し、基準電極と通信電極との間に電位差を生じさせることによって通信を行う。
【００３３】
電波通信部１０６は、通信部の一部として、他の通信装置と電波を介した通信を行う。具体的には、電波通信部１０６は、人体通信部１０４によって送信された設定情報に基づいて通信装置２００−１から送信される接続要求を受信し、当該接続要求に基づく通信を確立する。そして、電波通信部１０６は、通信装置２００−１とデータの送受信を行う。例えば、電波通信部１０６は、ＢｌｕｅｔｏｏｔｈまたはＷｉＦｉ（登録商標）等の無線通信方式を用いて通信を行う。
【００３４】
記憶部１０８は、送信される情報を記憶する。具体的には、記憶部１０８は、通信装置２００−１に送信され、通信装置２００−１において使用されるデータを記憶する。例えば、当該データは、音声もしくは画像のデータ、または動作プログラム等であり得る。また、記憶部１０８には、設定情報が事前に記憶されてもよい。なお、記憶部１０８に代えて、通信装置１００−１の外部から当該データを取得する取得部が備えられてもよい。
【００３５】
（通信装置２００−１の構成）
また、通信装置２００−１は、図３に示したように、制御部２０２、人体通信部２０４、電波通信部２０６および出力部２０８を備える。例えば、通信装置２００−１は、据置型の通信装置であり得る。
【００３６】
制御部２０２は、通信装置２００−１の動作を全体的に制御する。具体的には、制御部２０２は、人体通信部２０４および電波通信部２０６の制御を行う。また、制御部２０２は、出力部２０８の制御を行う。例えば、制御部２０２は、電波通信部２０６によって受信されたデータを出力部２０８に提供し、出力部２０８に当該データに基づく出力を行わせる。
【００３７】
人体通信部２０４は、通信部の一部として、他の通信装置と人体を介した通信を行う。具体的には、人体通信部２０４は、通信装置１００−１との通信を確立するための設定情報を受信する。例えば、人体通信部２０４は、通信装置１００−１のＢＴ通信の設定情報を通信装置３００−１から受信する。
【００３８】
電波通信部２０６は、通信部の一部として、他の通信装置と電波を介した通信を行う。具体的には、電波通信部２０６は、人体通信部２０４によって受信された設定情報に基づいて通信装置１００−１との通信を確立し、データの送受信を行う。
【００３９】
出力部２０８は、制御部２０２の指示に基づいて出力を行う。具体的には、出力部２０８は、電波通信部２０６によって受信されたデータに基づく出力を行う。例えば、出力部２０８は、音声、画像または振動等を出力し得る。
【００４０】
（通信装置３００−１の構成）
また、通信装置３００−１は、図３に示したように、制御部３０２、人体通信部３０４、記憶部３０６および電波通信部３０８を備える。例えば、通信装置３００−１は、可搬性があり、ユーザの身体に装着され、またはユーザの身体によって保持される通信装置であり得る。
【００４１】
制御部３０２は、通信装置３００−１の動作を全体的に制御する。具体的には、制御部３０２は、人体通信部３０４の制御を行う。例えば、制御部３０２は、人体通信部３０４の起動および停止、ならびにデータの送信指示等を行う。
【００４２】
人体通信部３０４は、通信部の一部として、他の通信装置と人体を介した通信を行う。具体的には、人体通信部３０４は、通信装置１００−１と通信装置２００−１との間の通信を確立するための設定情報の送受信を行う。例えば、人体通信部３０４は、通信装置１００−１のＢＴ通信の設定情報を通信装置１００−１から受信し、当該ＢＴ通信の設定情報を通信装置２００−１に送信する。
【００４３】
記憶部３０６は、送受信される設定情報を記憶する。具体的には、記憶部３０６は、人体通信部３０４によって受信された設定情報を記憶する。なお、当該設定情報は、人体通信部３０４によって記憶部３０６から読み出され、送信される。
【００４４】
電波通信部３０８は、通信部の一部として、他の通信装置と電波を介した通信を行う。具体的には、電波通信部３０８は、通信装置１００−１もしくは２００−１またはその他の通信装置と通信する。
【００４５】
＜２−２．通信システムの処理＞
次に、図４および図５を参照して、本実施形態における通信システムの処理について説明する。まず、図４を参照して、設定情報の事前登録処理について説明する。図４は、本実施形態に係る通信システムにおける設定情報の事前登録処理を概念的に示すシーケンス図である。
【００４６】
（設定情報の事前登録処理）
まず、ＭＤ−１およびＷＤ−１は、人体通信機能を起動する（ステップＳ４０２）。具体的には、制御部１０２および３０２は、それぞれ人体通信部１０４および３０４を起動する。例えば、ＭＤ−１は別途タッチパネル等の操作部を備え、当該操作部に対するユーザ操作、例えば人体通信の開始指示操作が行われると、制御部１０２は、人体通信部１０４を起動する。また、ＷＤ−１は別途ボタン等の操作部を備え、当該操作部に対するユーザ操作、例えばユーザによるボタン押下等の操作が行われた際に、制御部３０２は人体通信部３０４を起動する。なお、制御部１０２および３０２は、定期的に人体通信部１０４および３０４を起動させてもよい。また、ＭＤ−１では、人体通信機能の起動方法が設定され、当該設定により起動方法が変化されてもよい。例えば、ユーザ操作による起動と定期的な起動とが設定によって切り替えられ得る。
【００４７】
次に、ＭＤ−１およびＷＤ−１は、人体通信で相互認証を行う（ステップＳ４０４）。具体的には、人体通信部１０４および人体通信部３０４は、各々の認証情報を送信し、他方の認証情報を受信する。なお、認証情報が予めＭＤ−１およびＷＤ−１の間で共有されている場合または特定の製品である場合は、本ステップの処理が省略されてもよい。
【００４８】
次に、ＭＤ−１は、ＷＤ−１を認識する（ステップＳ４０６）。具体的には、制御部１０２は、ＷＤ−１との相互認証が正常に完了した場合、当該ＷＤ−１を通信相手として認識する。なお、ステップＳ４０４にて、相互認証が行われない場合、制御部１０２は、ＷＤ−１を通信可能なデバイスとして認識する。
【００４９】
次に、ＭＤ−１は、検出されたＷＤ−１の登録有無をユーザに確認する（ステップＳ４０８）。具体的には、制御部１０２は、ＷＤ−１が認識された旨をユーザに提示し、ユーザに当該ＷＤ−１を登録するかどうかを判断させる。例えば、制御部１０２は、ＭＤ−１の別途備える表示部にＷＤ−１が認識された旨を表示し、ＭＤ−１への当該ＷＤ−１の登録有無、およびＷＤ−１へのＭＤ−１の登録すなわちＭＤ−１の設定情報の提供有無の選択操作をユーザに行わせる。例えば、ユーザが認識されたＷＤ−１をＵｎｌｏｃｋデバイスとして登録する場合、両方の登録が選択され、ユーザがＷＤ−１をＵｎｌｏｃｋデバイスとして登録せず、ＭＤ−１の設定情報をＷＤ−１に登録させる場合、ＷＤ−１へのＭＤ−１の登録が選択される。
【００５０】
次に、ＭＤ−１は、ＷＤ−１を登録する（ステップＳ４１０）。具体的には、認識されたＷＤ−１をＭＤ−１に登録する旨がユーザによって選択される場合、制御部１０２は、認証情報等の当該ＷＤ−１に係る情報を記憶部１０８に記憶させる。なお、ＷＤ−１へのＭＤ−１の登録のみが選択される場合および両方を登録しない旨が選択される場合、本ステップの処理は省略される。
【００５１】
次に、ＭＤ−１は、人体通信で自装置の設定情報を送信する（ステップＳ４１２）。具体的には、制御部１０２は、人体通信部１０４に、ＭＤ−１のＢＴ通信の設定情報をＷＤ−１へ送信させる。なお、ＭＤ−１へのＷＤ−１の登録のみが選択される場合および両方を登録しない旨が選択される場合、処理が終了される。
【００５２】
設定情報が受信されると、ＷＤ−１は、設定情報を記憶する（ステップＳ４１４）。具体的には、制御部３０２は、人体通信部３０４によって受信された設定情報を記憶部３０６に記憶させる。
【００５３】
（電波通信の確立処理）
次に、図５を参照して、電波通信の確立処理について説明する。図５は、本実施形態に係る通信システムにおける電波通信の確立処理を概念的に示すシーケンス図である。なお、設定情報の事前登録処理と実質的に同一である処理については説明を省略する。
【００５４】
まず、ＷＤ−１は、人体通信機能を起動し（ステップＳ５０２）、ＷＤ−１およびＳＤ−１は、人体通信で相互認証を行う（ステップＳ５０４）。なお、相互認証が行われない場合、本ステップの処理は省略される。
【００５５】
次に、ＷＤ−１は、人体通信でＭＤ−１の設定情報をＳＤ−１に送信する（ステップＳ５０６）。具体的には、制御部３０２は、人体通信の相互認証が完了すると、記憶部３０６に記憶されるＭＤ−１の設定情報を取得する。そして、制御部３０２は、人体通信部３０４に、取得されるＭＤ−１の設定情報をＳＤ−１へ送信させる。なお、制御部３０２は、ＳＤ−１から設定情報の送信要求が受信される場合に、人体通信部３０４にＭＤ−１の設定情報を送信させてもよい。
【００５６】
ＭＤ−１の設定情報を受信したＳＤ−１は、ＭＤ−１に対してＢＴ通信の接続要求を行う（ステップＳ５０８）。具体的には、制御部２０２は、人体通信部２０４によってＭＤ−１の設定情報が受信されると、電波通信部２０６に、受信されたＭＤ−１の設定情報に基づくＢＴ通信の接続要求をＭＤ−１へ送信させる。
【００５７】
ＳＤ−１およびＢＴ通信の接続要求を受けたＭＤ−１は、ＢＴ通信のリンクを確立する（ステップＳ５１０）。具体的には、電波通信部１０６は、ＳＤ−１からＢＴ通信の接続要求が受信されると、ＳＤ−１に接続を許可し、ＳＤ−１とのＢＴ通信のリンクを確立する。
【００５８】
ＢＴ通信のリンク確立後、ＭＤ−１は、ＢＴ通信でデータをＳＤ−１に送信する（ステップＳ５１２）。具体的には、制御部１０２は、記憶部１０８に記憶されるデータを取得し、電波通信部１０６に、取得されるデータをＳＤ−１へ送信させる。なお、制御部１０２は、ＳＤ−１からデータ送信要求が受信される場合に、電波通信部１０６に、当該データ送信要求の示すデータをＳＤ−１へ送信させてもよい。
【００５９】
データを受信したＳＤ−１は、受信データに基づいて出力を行う（ステップＳ５１４）。具体的には、制御部２０２は、電波通信部２０６によって受信されたデータを出力部２０８に提供し、出力部２０８に当該データに基づく出力を行わせる。
【００６０】
なお、ステップＳ５１２およびＳ５１４の処理は繰り返し行われてもよく、またステップＳ５１２およびＳ５１４の処理が並列して行われ、ステップＳ５１２で受信されたデータは受信バッファにバッファリングされ、バッファリングされたデータがステップＳ５１４の処理で使用されてもよい。
【００６１】
このように、本開示の第１の実施形態によれば、通信装置３００−１は、通信装置１００−１と通信装置２００−１との間の通信を確立するための設定情報について、通信装置１００−１または通信装置２００−１と人体通信を用いて通信する。また、通信装置１００−１は、通信装置２００−１との間の通信を確立するための設定情報について通信装置３００−１と人体通信を用いて通信し、当該設定情報に基づく通信装置２００−１との通信を確立する。また、通信装置２００−１は、通信装置１００−１との間の通信を確立するための設定情報について通信装置３００−１と人体通信を用いて通信し、当該設定情報に基づく通信装置１００−１との通信を確立する。このため、ユーザは通信装置１００−１および通信装置２００−１を隣接する位置に移動させることなく、通信装置３００−１を装着し、または保持するユーザが、通信を確立させたい通信装置に接触することのみによって当該通信装置間の通信を確立させることができる。その結果、通信確立の際のユーザの利便性を維持しながら、ユーザの負担を軽減することが可能となる。
【００６２】
また、上記の設定情報は、通信装置１００−１の設定情報を含み、通信装置３００−１は、当該設定情報を通信装置１００−１から人体通信を用いて受信する。また、通信装置１００−１は、当該設定情報を通信装置３００−１に人体通信を用いて送信する。また、通信装置２００−１は、当該設定情報を通信装置３００−１から人体通信を用いて受信する。このため、一方の通信装置の設定情報のみが通信されることにより、両方の設定情報が通信されるよりも通信確立にかかるオーバヘッドを低減することが可能となる。
【００６３】
＜２−３．変形例＞
以上、本開示の第１の実施形態について説明した。なお、本実施形態は、上述の例に限定されない。以下に、本実施形態の第１〜第４の変形例について説明する。
【００６４】
（第１の変形例）
本実施形態の第１の変形例として、通信システムは、通信装置３００−１が通信装置１００−１の設定情報を通信装置２００−１に送信する際に、ユーザに送信許可の有無を確認してもよい。
【００６５】
具体的には、通信装置３００−１は、通信装置１００−１の設定情報の送信許可照会を通信装置１００−１に送信し、送信許可が通信装置１００−１から受信される場合、当該設定情報を通信装置２００−１に電波通信を用いて送信する。また、通信装置１００−１は、当該設定情報の送信許可照会が通信装置３００−１から受信される場合に、ユーザに対して当該送信許可照会があった旨の提示を行い、当該提示に対して行われるユーザ操作に基づいて当該設定情報の送信許否についての決定を行う。さらに、図６を参照して、本変形例の処理を詳細に説明する。図６は、本実施形態の第１の変形例に係る通信システムの電波通信の確立処理を概念的に示すシーケンス図である。なお、本実施形態の処理と実質的に同一である処理については説明を省略する。
【００６６】
まず、ＷＤ−１は、人体通信機能を起動し（ステップＳ６０２）、ＷＤ−１およびＳＤ−１は、人体通信で相互認証を行う（ステップＳ６０４）。なお、相互認証が行われない場合、本ステップの処理は省略される。
【００６７】
次に、ＷＤ−１は、ＢＴ通信で送信許可照会をＭＤ−１に送信する（ステップＳ６０６）。具体的には、制御部３０２は、記憶部３０６に記憶される設定情報の送信元であるＭＤ−１に当該設定情報の送信許可を問い合わせるための送信許可照会を電波通信部３０８に送信させる。
【００６８】
送信許可照会を受信したＭＤ−１は、ユーザに送信許可の有無を確認する（ステップＳ６０８）。具体的には、制御部１０２は、電波通信部１０６によって送信許可照会が受信されると、ＭＤ−１が別途備える表示部等を介して送信許可照会のあった旨をユーザに提示し、送信許可の有無の選択をユーザに促す。そして、制御部１０２は、ユーザの選択操作に基づいて設定情報の送信を許可するかを決定する。なお、送信許可照会には、設定情報の送信先となるＳＤ−１を示す情報が含まれていてもよく、制御部１０２は、当該ＳＤ−１を示す情報をユーザに提示してもよい。
【００６９】
次に、ＭＤ−１は、ＢＴ通信で送信許可をＷＤ−１に送信する（ステップＳ６１０）。具体的には、制御部１０２は、ユーザの選択操作が送信許可を示す場合、送信を許可する旨の決定を行い、電波通信部１０６に送信許可をＷＤ−１へ送信させる。
【００７０】
送信許可を受信したＷＤ−１は、人体通信でＭＤ−１の設定情報をＳＤ−１に送信する（ステップＳ６１２）。具体的には、人体通信部３０４によって送信許可が受信されると、制御部３０２は、人体通信部３０４に記憶部３０６から取得されたＭＤ−１の設定情報をＳＤ−１へ送信させる。
【００７１】
ＭＤ−１の設定情報を受信したＳＤ−１は、ＭＤ−１に対してＢＴ通信の接続要求を行い（ステップＳ６１４）、ＳＤ−１およびＢＴ通信の接続要求を受けたＭＤ−１は、ＢＴ通信のリンクを確立する（ステップＳ６１６）。そして、ＢＴ通信のリンク確立後、ＭＤ−１は、ＢＴ通信でデータを送信し（ステップＳ６１８）、当該データを受信したＳＤ−１は、受信データに基づいて出力を行う（ステップＳ６２０）。
【００７２】
このように、本実施形態の第１の変形例によれば、通信装置３００−１は、通信装置１００−１の設定情報の送信許可照会を通信装置１００−１に送信し、送信許可が通信装置１００−１から受信される場合、当該設定情報を通信装置２００−１に人体通信を用いて送信する。このため、ＭＤ−１の設定情報が無条件に提供され、不特定の通信装置からアクセスされることを防止し、ＭＤ−１に係る情報の安全性を維持することが可能となる。
【００７３】
また、通信装置１００−１は、当該設定情報の送信許可照会が通信装置３００−１から受信される場合に、ユーザに対して当該送信許可照会があった旨の提示を行い、当該提示に対して行われるユーザ操作に基づいて当該設定情報の送信許否についての決定を行う。このため、ユーザの意図に反した設定情報の送信が行われないことにより、ユーザの利便性を向上させることが可能となる。
【００７４】
なお、上記では、制御部１０２が設定情報の送信許否をユーザ操作に基づいて決定する例を説明したが、設定情報の送信許否は予め決定されていてもよい。例えば、記憶部１０８には、送信を許可するＳＤ−１の種類を示す種類情報が記憶され、送信許可照会に含まれるＳＤ−１を示す情報には、当該ＳＤ−１の種類情報が含まれ得る。そして、制御部１０２は、受信された送信許可照会に含まれる種類情報が、記憶部１０８に記憶される種類情報と一致するかを判定し、一致すると判定される場合に、電波通信部１０６に送信許可を送信させる。なお、当該種類情報は、ユーザの設定により記憶部１０８に記憶される。この場合、記憶される設定に従って自動的に送信許可が送信されることにより、ユーザの意図に即しながらユーザの手間を省くことが可能となる。
【００７５】
（第２の変形例）
本実施形態の第２の変形例として、通信装置３００−１は、通信装置１００−１の設定情報が複数存在する場合、いずれの設定情報を送信するかを通信装置１００−１に問い合わせてもよい。具体的には、通信装置３００−１は、通信装置１００−１の設定情報が複数存在する場合、送信許可照会を通信装置１００−１に送信し、受信される送信許可が示す設定情報を通信装置２００−１に人体通信を用いて送信する。
【００７６】
例えば、制御部３０２は、ＳＤ−１にＭＤ−１の設定情報を送信する際に、記憶部３０６に設定情報が複数記憶されているかを判定する。設定情報が複数記憶されていると判定される場合、制御部３０２は、電波通信部３０８を介して、設定情報に係る複数のＭＤ−１の各々に送信許可照会を送信する。
【００７７】
当該送信許可照会が受信されると、制御部１０２は、ＭＤ−１が別途備える表示部等を介して送信許可照会のあった旨をユーザに提示し、設定情報の送信許否の選択をユーザに促す。そして、制御部１０２は、ユーザの選択操作に基づいて設定情報の送信許否を決定する。設定情報の送信を許可する旨が決定されると、制御部１０２は、電波通信部１０６に送信許可をＷＤ−１へ送信させる。
【００７８】
当該送信許可が受信されると、制御部３０２は、人体通信部３０４に当該送信許可の送信元であるＭＤ−１の設定情報をＳＤ−１へ送信させる。
【００７９】
このように、本実施形態の第２の変形例によれば、通信装置３００−１は、通信装置１００−１の設定情報が複数存在する場合、送信許可照会を通信装置１００−１に送信し、受信される送信許可が示す設定情報を通信装置２００−１に人体通信を用いて送信する。このため、設定情報が不特定の通信装置に拡散されることを防止し、ＭＤ−１に係る情報の安全性を維持することが可能となる。
【００８０】
なお、送信許可照会に複数の通信装置１００−１の設定情報が含まれ、１つの通信装置１００−１の操作によって送信が許可される設定情報が決定されてもよい。例えば、スマートフォンのような通信装置１００−１およびテレビジョン受像機のような通信装置１００−１の設定情報が通信装置３００−１に登録されている場合、設定情報のリストを含む送信許可照会が通信装置３００−１から両方の通信装置１００−１に送信される。そして、スマートフォンにおいて送信が許可される通信装置１００−１、例えばテレビジョン受像機の設定情報が選択され、スマートフォンから当該設定情報を示す情報を含む送信許可が通信装置３００−１に送信される。そして、当該送信許可を受信した通信装置３００−１は、当該送信許可が示す設定情報を通信装置２００−１に送信する。この場合、送信の許可される設定情報が他の通信装置１００−１によって選択されることにより、ユーザ操作が困難な通信装置１００−１と通信装置２００−１との間で通信を確立させることが可能となる。
【００８１】
（第３の変形例）
本実施形態の第３の変形例として、通信装置３００−１は、通信装置１００−１の設定情報が複数存在する場合、当該複数の設定情報の各々について通信装置２００−１に接続を要求させてもよい。具体的には、通信装置３００−１は、通信装置１００−１の設定情報が複数存在する場合、複数の設定情報のうちの一部または全部を通信装置２００−１に人体通信を用いて送信する。
【００８２】
例えば、制御部３０２は、ＳＤ−１にＭＤ−１の設定情報を送信する際に、記憶部３０６に設定情報が複数記憶されているかを判定する。設定情報が記憶部３０６に複数記憶されていると判定される場合、制御部３０２は、人体通信部３０４を介してＳＤ−１に複数の設定情報のうちの一部を送信する。
【００８３】
複数の設定情報が受信されると、制御部２０２は、電波通信部２０６に、受信された複数の設定情報の１つに基づいてＭＤ−１へ接続要求を行わせる。そして、当該接続要求によって通信が確立されなかった場合、電波通信部２０６は、次の設定情報に基づいて接続要求を行う。受信された全ての設定情報について通信が確立されなかった場合、制御部２０２は、人体通信部２０４に設定情報の送信要求をＷＤ−１へ送信させる。
【００８４】
設定情報の送信要求が受信されると、制御部３０２は、人体通信部３０４に記憶部３０６に記憶される未送信の設定情報をＳＤ−１へ送信させる。
【００８５】
なお、制御部３０２は、設定情報の初回の送信において、人体通信部３０４に記憶部３０６に記憶されている全ての設定情報をＳＤ−１へ送信させてもよい。
【００８６】
このように、本実施形態の第３の変形例によれば、通信装置３００−１は、通信装置１００−１の設定情報が複数存在する場合、複数の設定情報のうちの一部または全部を通信装置２００−１に人体通信を用いて送信する。このため、不特定の通信装置にＭＤ−１の設定情報が拡散されるおそれがない場合に、ユーザの確認にかかる手間を省略することができ、ユーザの利便性を向上させることが可能となる。
【００８７】
（第４の変形例）
本実施形態の第４の変形例として、通信装置２００−１は、通信装置１００−１との通信後に、設定情報を破棄してもよい。具体的には、制御部２０２は、通信装置３００−１から受信された通信装置１００−１の設定情報を一時的に通信装置２００−１の別途備える記憶部等に記憶させる。そして、電波通信部２０６は、当該設定情報に基づいて通信装置１００−１との通信を行う。そして、通信装置１００−１との通信が終了した際に、制御部２０２は、記憶部に記憶される当該設定情報を消去する。
【００８８】
このように、本実施形態の第４の変形例によれば、通信装置２００−１は、通信装置１００−１との通信後に、設定情報を破棄する。このため、ＭＤ−１の設定情報がＳＤ−１を介して他の通信装置に拡散されることを抑制し、ＭＤ−１に係る情報の安全性を維持することが可能となる。また、設定情報の登録数に上限がある場合、設定情報の登録数が上限に達することを抑制し、追加的な設定情報の登録が困難となることを防止することが可能となる。
【００８９】
なお、通信装置２００−１は、登録される設定情報が所定数に達した場合、所定の条件を満たす設定情報を削除してもよい。例えば、制御部２０２は、設定情報の登録数が上限に達した場合、設定情報の利用時間が他の設定情報よりも古い設定情報を削除してもよく、登録時間が他の設定情報よりも古い設定情報を削除してもよい。また、通信装置２００−１は、登録される設定情報が所定数に達した場合、不作為に１つまたは複数の設定情報を削除してもよい。
【００９０】
＜３．第２の実施形態（人体通信を介してＳＤの設定情報をＭＤに送信する例）＞
以上、本開示の第１の実施形態に係る通信システムについて説明した。次に、本開示の第２の実施形態に係る通信システムについて説明する。本実施形態では、人体通信を用いて、第２の通信装置の設定情報が第３の通信装置を介して第１の通信装置に送信される。
【００９１】
＜３−１．通信システムの構成＞
まず、本開示の第２の実施形態に係る通信装置１００−２、通信装置２００−２および通信装置３００−２の構成について説明する。なお、第１の実施形態における構成と実質的に同一である構成については説明を省略する。
【００９２】
（通信装置１００−２の構成）
電波通信部１０６は、通信装置２００−２との通信を確立するための設定情報を受信する。例えば、電波通信部１０６は、第２の設定情報として、通信装置２００−２の設定情報を通信装置３００−２から受信する。
【００９３】
また、電波通信部１０６は、通信装置３００−２から受信された通信装置２００−２の設定情報に基づいて通信装置２００−２との通信を確立し、データの送受信を行う。例えば、電波通信部１０６は、通信装置３００−２から受信された設定情報に基づいて通信装置２００−２にＢＴ通信の接続要求を送信し、通信確立後にデータの送受信を行う。
【００９４】
記憶部１０８は、受信される設定情報を記憶する。例えば、記憶部１０８は、電波通信部１０６によって受信された通信装置２００−２の設定情報を記憶する。
【００９５】
（通信装置２００−２の構成）
人体通信部２０４は、通信装置１００−２との通信を確立するための設定情報を送信する。例えば、人体通信部２０４は、通信装置２００−２の設定情報を通信装置３００−２に送信する。
【００９６】
電波通信部２０６は、人体通信部２０４によって送信された設定情報に基づいて通信装置１００−２から送信される接続要求を受信し、当該接続要求に基づく通信を確立する。そして、電波通信部２０６は、通信装置１００−２とデータの送受信を行う。
【００９７】
（通信装置３００−２の構成）
制御部３０２は、人体通信部３０４と同様に、電波通信部３０８の制御を行う。例えば、制御部３０２は、電波通信部３０８の起動および停止、ならびにデータの送信指示等を行う。
【００９８】
人体通信部３０４は、通信装置１００−２と通信装置２００−２との通信を確立するための設定情報を受信する。例えば、人体通信部３０４は、通信装置２００−２の設定情報を通信装置２００−２から受信する。
【００９９】
電波通信部３０８は、人体通信部３０４によって受信される設定情報を送信する。例えば、電波通信部３０８は、人体通信部３０４によって受信される通信装置２００−２の設定情報を通信装置１００−２に送信する。
【０１００】
＜３−２．通信システムの処理＞
次に、図７を参照して、本実施形態に係る通信システムの電波通信の確立処理について説明する。図７は、本実施形態に係る通信システムにおける電波通信の確立処理を概念的に示すシーケンス図である。なお、第１の実施形態と実質的に同一である設定情報の事前登録処理その他の処理については説明を省略する。
【０１０１】
（電波通信の確立処理）
まず、ＷＤ−２は、人体通信機能を起動し（ステップＳ７０２）、ＷＤ−２およびＳＤ−２は、人体通信で相互認証を行う（ステップＳ７０４）。なお、相互認証が行われない場合、本ステップの処理は省略される。
【０１０２】
次に、ＳＤ−２は、人体通信でＳＤ−２の設定情報をＷＤ−２に送信する（ステップＳ７０６）。具体的には、制御部２０２は、人体通信の相互認証が完了すると、人体通信部２０４に、電波通信に係るＳＤ−２の設定情報をＷＤ−２へ送信させる。なお、制御部２０２は、ＷＤ−２から設定情報の送信要求が受信される場合に、人体通信部２０４にＳＤ−２の設定情報を送信させてもよい。
【０１０３】
ＳＤ−２の設定情報を受信したＷＤ−２は、ＢＴ通信でＳＤ−２の設定情報をＭＤ−２に送信する（ステップＳ７０８）。具体的には、制御部３０２は、人体通信部３０４によってＳＤ−２の設定情報が受信されると、電波通信部３０８に、受信されたＳＤ−２の設定情報をＭＤ−２へ送信させる。なお、ＭＤ−２への当該設定情報の送信の際には、設定情報の事前登録処理において記憶部３０６に記憶されたＭＤ−２の設定情報が用いられる。また、制御部３０２は、受信されたＳＤ−２の設定情報を記憶部３０６に記憶させてもよい。
【０１０４】
ＳＤ−２の設定情報を受信したＭＤ−２は、ＳＤ−２に対してＢＴ通信の接続要求を行う（ステップＳ７１０）。具体的には、制御部１０２は、電波通信部１０６によってＳＤ−２の設定情報が受信されると、電波通信部１０６に、受信されたＳＤ−２の設定情報に基づくＢＴ通信の接続要求をＳＤ−２へ送信させる。
【０１０５】
次に、ＭＤ−２およびＢＴ通信の接続要求を受けたＳＤ−２は、ＢＴ通信のリンクを確立し（ステップＳ７１２）、ＢＴ通信のリンク確立後、ＭＤ−２は、ＢＴ通信でデータをＳＤ−２に送信し（ステップＳ７１４）、当該データを受信したＳＤ−２は、受信データに基づいて出力を行う（ステップＳ７１６）。なお、ステップＳ７１４およびＳ７１６の処理は、第１の実施形態におけるステップＳ５１２およびＳ５１４と同様に行われてもよい。
【０１０６】
このように、本開示の第２の実施形態によれば、通信装置３００−２は、通信装置２００−２の設定情報を通信装置２００−２から人体通信を用いて受信し、受信される当該設定情報を通信装置１００−２に送信する。また、通信装置１００−２は、通信装置２００−２の設定情報を通信装置３００−２から受信し、受信される当該設定情報に基づいて通信装置２００−２との通信を確立する。また、通信装置２００−２は、通信装置２００−２の設定情報を通信装置３００−２に人体通信を用いて送信し、当該設定情報に基づいて送信される通信装置１００−２からの通信確立要求を受信し、当該通信確立要求に基づいて通信装置１００−２との通信を確立する。このため、通信装置１００−２の設定情報が他の通信装置に提供されないことにより、当該設定情報が拡散されることを防止し、通信装置１００−２に係る情報の安全性を向上させることが可能となる。
【０１０７】
なお、上記では、ユーザが通信装置２００−２に接触することによってＢＴ通信が確立される例を説明したが、ユーザが通信装置１００−２に接触することによってＢＴ通信が確立されてもよい。例えば、事前に通信装置３００−２に通信装置２００−２の設定情報が登録される場合、通信装置３００−２は、ユーザが通信装置１００−２に接触することによって人体通信を介して通信装置２００−２の設定情報を通信装置１００−２に送信する。そして、通信装置１００−２は通信装置２００−２とのＢＴ通信を確立する。
【０１０８】
＜３−３．変形例＞
以上、本開示の第２の実施形態について説明した。なお、本実施形態は、上述の例に限定されない。以下に、本実施形態の変形例について説明する。
【０１０９】
本実施形態の変形例として、通信装置３００−２は、通信が行われない間はスリープ状態であってもよい。具体的には、通信装置３００−２は、所定の信号が他の通信装置から受信された際に、人体通信可能な状態に遷移する。例えば、通信装置２００−２は、自装置に対するユーザの近接を検出し、当該ユーザの近接が検出された際に、人体通信を促す信号を送信し、当該信号を受信した通信装置３００−２は、人体通信可能な状態に遷移する。さらに、図８を参照して、本変形例の処理について詳細に説明する。図８は、本実施形態の変形例に係る通信システムにおける電波通信の確立処理を概念的に示すシーケンス図である。なお、第２の実施形態の処理と実質的に同一である処理については説明を省略する。
【０１１０】
まず、ＳＤ−２は、ユーザの近接を検出する（ステップＳ８０２）。具体的には、ＳＤ−２は、ユーザの近接を検出するセンサを備える。例えば、センサは、赤外線センサ、超音波センサもしくは可視光センサ等の人感センサであり得て、ＳＤ−２に対するユーザの接近または接触を検出する。また、上記センサの代わりに、プッシュボタン等のスイッチが押下アクションを検出し、または押圧センサがユーザによる押圧を検出することによってユーザの近接が検出されてもよい。
【０１１１】
ユーザの近接が検出される場合、ＳＤ−２は、ＢＴ通信でビーコンを送信する（ステップＳ８０４）。具体的には、制御部２０２は、センサによってユーザの近接が検出された際に、電波通信部２０６にビーコン、例えばアドバタイジングパケットを送信させる。なお、人体通信を促す信号として送信される信号はこれに限定されない。例えば、所定のデータパケットまたは制御パケット等が送信されてもよい。
【０１１２】
ビーコンが受信されると、ＷＤ−２は、人体通信機能を起動する（ステップＳ８０６）。具体的には、制御部３０２は、電波通信部３０８によってビーコンが受信されると、人体通信部３０４を起動する。
【０１１３】
なお、ステップＳ８０８〜Ｓ８２０の処理については、図７に示した第２の実施形態のステップＳ７０４〜Ｓ７１６の処理と実質的に同一であるため説明を省略する。
【０１１４】
このように、本実施形態の変形例によれば、通信装置３００−２は、所定の信号が他の通信装置から受信された際に、人体通信可能な状態に遷移する。このため、通信が開始されるまでの間は人体通信機能がスリープ状態にされることにより、電力消費を抑制し、通信装置３００−３をより長期に稼働させることが可能となる。
【０１１５】
また、通信装置２００−２は、自装置に対するユーザの近接を検出し、当該ユーザの近接が検出された際に、人体通信を促す信号を送信する。ここで、人体通信では、人体通信に対応する装置を装着した人と通信相手となる通信装置とが近接しなければ通信が行われない。そのため、ユーザが通信装置２００−２に近接した場合にのみ当該ユーザが装着する通信装置３００−２の人体通信機能を起動させることにより、通信装置３００−２の電力消費の抑制と効率的な人体通信とを両立させることが可能となる。
【０１１６】
また、上記では、通信装置２００−２が、人体通信を促す信号を送信する例を説明したが、通信装置１００−２が当該信号を送信してもよい。例えば、制御部１０２は、電波通信部１０６にビーコンを定期的に送信させ、または通信装置１００−２に対するユーザ操作に応じて電波通信部１０６にビーコンを送信させる。この場合、通信装置２００−２から上記の信号が送信されない場合であっても通信装置３００−２の人体通信機能が起動されることにより、通信装置３００−２の電力消費を抑制しながら通信が不通となることを回避することが可能となる。
【０１１７】
＜４．本開示の一実施形態に係るハードウェア構成＞
以上、本開示の各実施形態に係る通信装置１００、２００および３００（以下、通信装置１００等とも称する。）について説明した。上述した通信装置１００等の処理は、ソフトウェアと、以下に説明する通信装置１００等のハードウェアとの協働により実現される。
【０１１８】
図９は、本開示に係る通信装置１００等のハードウェア構成を示した説明図である。図９に示したように、通信装置１００等は、ＣＰＵ（Central  Processing  Unit）１３２と、ＲＯＭ（Read  Only  Memory）１３４と、ＲＡＭ（Random  Access  Memory）１３６と、ブリッジ１３８と、バス１４０と、インターフェース１４２と、入力装置１４４と、出力装置１４６と、ストレージ装置１４８と、ドライブ１５０と、接続ポート１５２と、通信制御装置１５４とを備える。
【０１１９】
ＣＰＵ１３２は、演算処理装置および制御装置として機能し、各種プログラムと協働して通信装置１００等内の制御部の動作を実現する。また、ＣＰＵ１３２は、マイクロプロセッサであってもよい。ＲＯＭ１３４は、ＣＰＵ１３２が使用するプログラムまたは演算パラメータ等を記憶する。ＲＡＭ１３６は、ＣＰＵ１３２の実行にいて使用するプログラムまたは実行において適宜変化するパラメータ等を一時記憶する。ＲＯＭ１３４およびＲＡＭ１３６により、通信装置１００等内の記憶部の一部を実現する。ＣＰＵ１３２、ＲＯＭ１３４およびＲＡＭ１３６は、ＣＰＵバスなどから構成される内部バスにより相互に接続されている。
【０１２０】
入力装置１４４は、マウス、キーボード、タッチパネル、ボタン、マイクロフォン、スイッチおよびレバーなどユーザが情報を入力するための入力手段、およびユーザによる入力に基づいて入力信号を生成し、ＣＰＵ１３２に出力する入力制御回路などから構成されている。通信装置１００等のユーザは、入力装置１４４を操作することにより、通信装置１００等に対して各種のデータを入力したり処理動作を指示したりすることができる。
【０１２１】
出力装置１４６は、例えば、液晶ディスプレイ（LCD）装置、ＯＬＥＤ（Organic  Light  Emitting  Diode）装置、ランプなどの装置への出力を行う。さらに、出力装置１４６は、スピーカおよびヘッドフォンなどの音声出力を行ってもよい。
【０１２２】
ストレージ装置１４８は、データ格納用の装置である。ストレージ装置１４８は、記憶媒体、記憶媒体にデータを記録する記録装置、記憶媒体からデータを読み出す読出し装置および記憶媒体に記録されるデータを削除する削除装置等を含んでもよい。ストレージ装置１４８は、ＣＰＵ１３２が実行するプログラムや各種データを格納する。
【０１２３】
ドライブ１５０は、記憶媒体用リーダライタであり、通信装置１００等に内蔵、あるいは外付けされる。ドライブ１５０は、装着されている磁気ディスク、光ディスク、光磁気ディスク、または半導体メモリ等のリムーバブル記憶媒体に記録されている情報を読み出して、ＲＡＭ１３４に出力する。また、ドライブ１５０は、リムーバブル記憶媒体に情報を書込むこともできる。
【０１２４】
接続ポート１５２は、例えば、通信装置１００等の外部の情報処理装置または周辺機器と接続するためのバスである。また、接続ポート１５２は、ＵＳＢ（Universal  Serial  Bus）であってもよい。
【０１２５】
通信制御装置１５４は、例えば、通信装置１００等の電波通信部の一例として、ネットワークに接続するための通信デバイスで構成される通信インターフェースである。また、通信制御装置１５４は、無線ＬＡＮ（Local  Area  Network）対応通信装置であってもよく、ＬＴＥ（Long  Term  Evolution）対応通信装置であってもよい。さらに、通信制御装置１５４は、人体通信に係るデバイスを含む。
【０１２６】
＜５．むすび＞
以上、本開示の第１の実施形態によれば、ユーザは通信装置１００および通信装置２００を隣接する位置に移動させることなく通信装置に接触することのみによって当該通信装置間の通信を確立させることができ、通信確立の際のユーザの利便性を維持しながら、ユーザの負担を軽減することが可能となる。また、本開示の第２の実施形態によれば、通信装置１００の設定情報が他の通信装置に提供されないことにより、当該設定情報が拡散されることを防止し、通信装置１００に係る情報の安全性を向上させることが可能となる。
【０１２７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１２８】
例えば、上記実施形態では、１つの通信装置３００を介して通信装置１００と通信装置２００との間で設定情報が送受信されるとしたが、本技術はかかる例に限定されない。例えば、複数の通信装置３００を介して設定情報が送受信されてもよい。
【０１２９】
また、上記実施形態では、通信装置３００は、通信装置１００の設定情報を事前登録処理において記憶する例を説明したが、当該設定情報は、通信装置３００に予め記憶されていてもよい。この場合、事前登録処理は省略される。
【０１３０】
また、上記第１の実施形態の第１の変形例では、通信装置３００は、人体通信を用いて送信許可照会を通信装置１００に送信する例を説明したが、通信装置３００は、他の通信方式、例えばＢＴ通信を用いて送信許可照会を通信装置１００に送信してもよい。なお、ＢＴ通信が用いられる場合、当該ＢＴ通信には、設定情報の事前登録処理において通信装置３００に記憶された通信装置１００の設定情報が用いられる。
【０１３１】
また、上記第２の実施形態では、通信装置３００から設定情報の送信要求が受信される場合に通信装置２００が自装置の設定情報を送信する例を説明したが、通信装置３００は、通信装置１００から設定情報の送信要求指示が受信される場合に、当該送信要求を通信装置２００に送信してもよい。
【０１３２】
例えば、制御部１０２は、通信装置２００へのデータ送信指示操作、例えば音楽再生開始指示または表示番組選択等の操作が通信装置１００に対して行われると、人体通信部１０４または電波通信部１０６に送信要求指示を通信装置３００へ送信させる。当該送信要求指示が受信され、かつ人体通信が可能な場合に、制御部３０２は、人体通信部３０４に送信要求を通信装置２００へ送信させる。
【０１３３】
この場合、ユーザ操作に基づいて通信装置２００から設定情報が取得されることにより、ユーザが誤って通信装置２００に触れる等して通信装置２００の設定情報が送信され、通信装置２００が誤作動することを防止することが可能となる。
【０１３４】
また、上記第２の実施形態の変形例では、通信装置３００がスリープ状態である例を説明したが、通信装置１００または通信装置２００がスリープ状態であってもよい。例えば、通信装置１００または通信装置２００は、通信装置３００から所定の信号が受信されると、人体通信可能な状態に遷移する。この場合、通信装置３００だけでなく、通信装置１００または通信装置２００の電力消費を抑制することが可能となる。
【０１３５】
また、上記第２の実施形態の変形例では、通信装置３００は通信装置１００または通信装置２００から所定の信号を受信する例を説明したが、当該所定の信号は、通信装置１００または通信装置２００から他の通信装置等を経由して通信装置３００に受信されてもよい。
【０１３６】
また、上記実施形態では、通信装置３００が電波通信部３０８を備える例を説明したが、通信装置３００は電波通信部３０８を備えなくてもよい。例えば、通信装置３００は、人体通信部３０４のみを用いて通信装置１００および２００と通信を行う。
【０１３７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１３８】
なお、以下のような構成も本開示の技術的範囲に属する。
（１）第１の通信装置と第２の通信装置との間の通信を確立するための設定情報について、前記第１の通信装置または前記第２の通信装置と人体通信を用いて通信する通信部を備える通信装置。
（２）前記設定情報は、前記第１の通信装置の設定情報である第１の設定情報を含み、前記通信部は、前記第１の設定情報を前記第１の通信装置から人体通信を用いて受信する、前記（１）に記載の通信装置。
（３）前記通信部は、前記第１の設定情報の送信許可照会を前記第１の通信装置に送信し、送信許可が前記第１の通信装置から受信される場合、前記第１の設定情報を前記第２の通信装置に人体通信を用いて送信する、前記（２）に記載の通信装置。
（４）前記通信部は、前記第１の設定情報が複数存在する場合、前記送信許可照会を前記第１の通信装置に送信し、受信される前記送信許可が示す第１の設定情報を前記第２の通信装置に人体通信を用いて送信する、前記（３）に記載の通信装置。
（５）前記通信部は、前記第１の設定情報が複数存在する場合、複数の前記第１の設定情報のうちの一部または全部を前記第２の通信装置に人体通信を用いて送信する、前記（２）または（３）に記載の通信装置。
（６）前記設定情報は、前記第２の通信装置の設定情報である第２の設定情報を含み、前記通信部は、前記第２の設定情報を前記第２の通信装置から人体通信を用いて受信し、受信される前記第２の設定情報を前記第１の通信装置に送信する、前記（１）〜（５）のいずれか１項に記載の通信装置。
（７）前記通信部は、所定の信号が他の通信装置から受信された際に、人体通信可能な状態に遷移する、前記（１）〜（６）のいずれか１項に記載の通信装置。
（８）第２の通信装置との間の通信を確立するための設定情報について第３の通信装置と人体通信を用いて通信し、前記設定情報に基づく前記第２の通信装置との通信を確立する通信部を備える通信装置。
（９）前記設定情報は、自装置の設定情報である第１の設定情報を含み、前記通信部は、前記第１の設定情報を前記第３の通信装置に前記人体通信を用いて送信する、前記（８）に記載の通信装置。
（１０）前記第１の設定情報の送信許可照会が前記第３の通信装置から受信される場合に、ユーザに対して前記送信許可照会があった旨の提示を行い、前記提示に対して行われるユーザ操作に基づいて前記第１の設定情報の送信許否についての決定を行う制御部をさらに備える、前記（９）に記載の通信装置。
（１１）前記設定情報は、前記第２の通信装置の設定情報である第２の設定情報を含み、前記通信部は、前記第２の設定情報を前記第３の通信装置から受信し、受信される前記第２の設定情報に基づいて、前記第２の通信装置との前記人体通信とは異なる通信を確立する、前記（９）または（１０）に記載の通信装置。
（１２）前記通信部は、人体通信を促す信号を送信する、前記（８）〜（１１）のいずれか１項に記載の通信装置。
（１３）第１の通信装置との間の通信を確立するための設定情報について第３の通信装置と人体通信を用いて通信し、前記設定情報に基づく前記第１の通信装置との通信を確立する通信部を備える通信装置。
（１４）前記設定情報は、前記第１の通信装置の設定情報である第１の設定情報を含み、前記通信部は、前記第１の設定情報を前記第３の通信装置から人体通信を用いて受信する、前記（１３）に記載の通信装置。
（１５）前記通信部は、前記第１の通信装置との通信後、前記第１の設定情報を破棄する、前記（１４）に記載の通信装置。
（１６）前記設定情報は、自装置の設定情報である第２の設定情報を含み、前記通信部は、前記第２の設定情報を前記第３の通信装置に人体通信を用いて送信し、前記第２の設定情報に基づいて送信される前記第１の通信装置からの通信確立要求を受信し、前記通信確立要求に基づいて前記第１の通信装置との通信を確立する、前記（１３）〜（１５）のいずれか１項に記載の通信装置。
（１７）自装置に対するユーザの近接を検出する検出部をさらに備え、前記通信部は、前記検出部により前記ユーザの近接が検出された際に、人体通信を促す信号を送信する、前記（１３）〜（１６）のいずれか１項に記載の通信装置。
（１８）第１の通信装置と第２の通信装置との間の通信を確立するための設定情報を、前記第１の通信装置または前記第２の通信装置に人体通信を用いて送信することと、前記設定情報に基づいて前記第１の通信装置と前記第２の通信装置との通信を確立することと、
を含む通信方法。
（１９）第１の通信装置と第２の通信装置との間の通信を確立するための設定情報を、前記第１の通信装置または前記第２の通信装置に人体通信を用いて送信する機能と、前記設定情報に基づいて前記第１の通信装置と前記第２の通信装置との通信を確立する機能と、を備える通信システム。
【符号の説明】
【０１３９】
１００、２００、３００    通信装置
１０２、２０２、３０２    制御部
１０４、２０４、３０４    人体通信部
１０６、２０６、３０８    電波通信部
１０８、３０６    記憶部
２０８    出力部
【図１】
0006579115.tif 000002
【図２】
0006579115.tif 000003
【図３】
0006579115.tif 000004
【図４】
0006579115.tif 000005
【図５】
0006579115.tif 000006
【図６】
0006579115.tif 000007
【図７】
0006579115.tif 000008
【図８】
0006579115.tif 000009
【図９】
0006579115.tif 000010